(57)【要約】  ＣＤＭＡディスパッチソフトハンドオフのための装置及び方法に対するニーズに応えるために、本発明は、基地サイト（１１１）においてコール中の全てのＭＳ（１２０〜１２３）の間でソフトハンドオフ情報を共有することによりディスパッチコール中の移動局（ＭＳ）（１２０〜１２３）にソフトハンドオフを提供する。第１ＭＳ（例えば１２０）がソフトハンドオフを行なう必要がある場合、隣接基地サイト（１１２）におけるソフトハンドオフチャネル（１３５）の識別情報を全てのＭＳ間で共有する。このようにして、その隣接基地サイトとソフトハンドオフを行なう必要のある後続のＭＳ（例えば１２２）はソフトハンドオフを要求することなくソフトハンドオフを行なうことができる。
2005514823.tif 000002
【特許請求の範囲】
【請求項１】
基地サイトがＣＤＭＡディスパッチソフトハンドオフを容易にできるようにする方法であって、
ディスパッチコールのために第１アウトバウンドリンクを確立するステップと、
前記第１アウトバウンドリンクを介して前記ディスパッチコールを複数の移動局（ＭＳ）に送信するステップと、
前記複数のＭＳの内の第１ＭＳが第２アウトバウンドリンクを介して隣接基地サイトとのソフトハンドオフを開始すべきであると判断するステップと、
判断する前記ステップに続いて、前記第１ＭＳに加えて前記複数のＭＳの内の少なくとも１つに、前記第２アウトバウンドリンクの識別情報及び前記隣接基地サイトの識別情報を知らせるステップとを有する方法。
【請求項２】
前記ディスパッチコールのために前記第１ＭＳとのインバウンドリンクを確立するステップをさらに有する請求項１記載の方法。
【請求項３】
判断する前記ステップは、前記インバウンドリンクを介して前記第１ＭＳからハンドオフを求める要求を受信するステップを有する請求項２記載の方法。
【請求項４】
前記第２アウトバウンドリンクの前記識別情報及び前記隣接基地サイトの前記識別情報と共に前記第１ＭＳの識別情報を知らせるステップをさらに有する請求項１記載の方法。
【請求項５】
移動局（ＭＳ）がＣＤＭＡディスパッチソフトハンドオフを行なう方法であって、
基地サイトとの第１アウトバウンドリンクを介してディスパッチコールを受信するステップと、
前記ディスパッチコールを受信可能な、隣接基地サイトとの第２アウトバウンドリンクの識別情報及び前記隣接基地サイトの識別情報を示す指標を受信するステップと、
前記ソフトハンドオフについて前記基地サイトに知らせることなく、前記第１アウトバウンドリンク及び前記第２アウトバウンドリンクを介して前記ディスパッチコールを同時に受信することによってソフトハンドオフを開始するステップとを有する方法。
【請求項６】
前記ＭＳは、前記ソフトハンドオフを開始するときに、前記ディスパッチコールのために確立された前記第１基地サイトへのアウトバウンドリンクを有さない請求項５記載の方法。
【請求項７】
指標を受信する前記ステップは、呼び出しチャネルを介して前記第２アウトバウンドリンク及び前記隣接基地サイトの識別情報を受信するステップを有する含む請求項５記載の方法。
【請求項８】
前記ディスパッチコールのために前記隣接基地サイトとのインバウンドリンクを確立すべく要求を送信するステップをさらに有する請求項５記載の方法。
【請求項９】
送信機と、
前記送信機に結合された制御装置とを備え、
前記制御装置はディスパッチコールのために第１アウトバウンドリンクを確立するために適合され、前記第１アウトバウンドリンクを介して前記ディスパッチコールを複数の移動局（ＭＳ）に送信するよう前記送信機に指示するために適合され、前記複数のＭＳの内の第１ＭＳが第２アウトバウンドリンクを介して隣接基地サイトとのソフトハンドオフを開始すべきであると判断するために適合され、判断を行った後に、前記第２アウトバウンドリンクの識別情報及び前記隣接基地サイトの識別情報を示す信号を前記第１ＭＳに加え
て前記複数のＭＳの内の少なくとも１つに送信するよう前記送信機に指示するために適合されている基地サイト。
【請求項１０】
受信機と、
前記受信機に結合されたプロセッサとを備え、
前記プロセッサは基地サイトとの第１アウトバウンドリンクを介してディスパッチコールを受信するように前記受信機に指示するために適合され、前記ディスパッチコールを受信可能な、隣接基地サイトとの第２アウトバウンドリンクの識別情報及び前記隣接基地サイトの識別情報を示す指標を受信するよう前記受信機に指示するために適合され、前記ソフトハンドオフについて前記基地サイトに知らせることなく、前記第１アウトバウンドリンク及び前記第２アウトバウンドリンクを介して前記ディスパッチコールを同時に受信することによってソフトハンドオフを開始するよう前記受信機に指示するために適合されている移動局（ＭＳ）。
【発明の詳細な説明】
【技術分野】
【０００１】
（関連出願の相互参照）
本出願は次に示す同時係属中の出願に関連しており、これらの出願は全てが同一日に提出され、全てが本出願の譲受人に譲渡され、ここで参照により本願に援用される。「移動体開始のＣＤＭＡディスパッチソフトハンドオフのための方法及び装置（ＭＥＴＨＯＤ  ＡＮＤ  ＡＰＰＡＲＡＴＵＳ  ＦＯＲ  ＭＯＢＩＬＥ−ＩＮＩＴＩＡＴＥＤ，  ＣＤＭＡ−ＤＩＳＰＡＴＣＨ  ＳＯＦＴ  ＨＡＮＤＯＦＦ）」、「基地サイト開始のＣＤＭＡディスパッチソフトハンドオフのための方法及び装置（ＭＥＴＨＯＤ  ＡＮＤ  ＡＰＰＡＲＡＴＵＳ  ＦＯＲ  ＢＡＳＥ−ＩＮＩＴＩＡＴＥＤ，  ＣＤＭＡ−ＤＩＳＰＡＴＣＨ  ＳＯＦＴ  ＨＡＮＤＯＦＦ）」、「迅速にＣＤＭＡディスパッチコールを確立する方法及び装置（ＭＥＴＨＯＤ  ＡＮＤ  ＡＰＰＡＲＡＴＵＳ  ＦＯＲ  ＱＵＩＣＫＬＹ  ＥＳＴＡＢＬＩＳＨＩＮＧ  Ａ  ＣＤＭＡ  ＤＩＳＰＡＴＣＨ  ＣＡＬＬ）」、及び「迅速にＣＤＭＡディスパッチコールを確立する基地サイト及び方法（ＢＡＳＥ  ＳＩＴＥ  ＡＮＤ  ＭＥＴＨＯＤ  ＦＯＲ  ＱＵＩＣＫＬＹ  ＥＳＴＡＢＬＩＳＨＩＮＧ  Ａ  ＣＤＭＡ  ＤＩＳＰＡＴＣＨ  ＣＡＬＬ）」。
【０００２】
本発明は一般に無線通信分野に関し、より詳細には符号分割多重アクセス（ｃｏｄｅ  ｄｉｖｉｓｉｏｎ  ｍｕｌｔｉｐｌｅ  ａｃｃｅｓｓ：ＣＤＭＡ）通信システム及びディスパッチグループコール通信システムに関する。
【背景技術】
【０００３】
通常のディスパッチ双方向無線通信システムは、通信ユニット、通信リソース、通信サイト、及び通信リソース分配器を備える。サイトの各々は実質的に別個のカバレージエリア（ｃｏｖｅｒａｇｅ  ａｒｅａ）を有し、地理的にシステム全体に亘って位置している。各サイトはそれに割り当てられる多くの通信リソースも有し、その場合通信リソースの内の少なくとも１つが制御チャネルとして使用される一方で、多くの残りの通信リソースは音声チャネルとして使用される。このようなシステムは、周波数分割多重アクセス（ｆｒｅｑｕｅｎｃｙ  ｄｉｖｉｓｉｏｎ  ｍｕｌｔｉｐｌｅｘ  ａｃｃｅｓｓ：ＦＤＭＡ）方式及び時分割多重アクセス（ｔｉｍｅ  ｄｉｖｉｓｉｏｎ  ｍｕｌｔｉｐｌｅ  ａｃｃｅｓｓ：ＴＤＭＡ）方式の両方を使用して再放送伝送を行なうことが知られている。
【０００４】
通信ユニットは普通、通信グループ（トークグループ）の中に配置されてシステム内のどこにでも（どのサイトにでも）位置させることができる。トークグループの通信ユニットがグループコールを要求すると、ユニットはそれが位置するサイトの制御チャネルを介して、インバウンドシグナリングメッセージを通信リソース分配器に送信する（グループコールにより通常、システム内に位置する同じトークグループの全てのメンバーが互いに通信できるようになる）。インバウンドシグナリングメッセージは一般に、要求元の通信ユニット個々の識別番号、要求元の通信ユニットのトークグループ、及びグループコールに対する要求を含む。通信リソース分配器は、インバウンドシグナリングメッセージを受信すると、各サイトの音声チャネルを要求元の通信ユニットのトークグループに割り当てる。
【０００５】
このようにして、ＦＤＭＡ及びＴＤＭＡディスパッチシステムにおいては、順方向リンクが確立され（通信ユニットが存在する各サイトに１つ）、そのサイトのグループコールに含まれる全てのユニットによりモニターされると共に、他のメンバーに向けて現在送信を行なっているグループメンバーによって使用される単一の逆方向リンクが確立される。送信を行なっていないトークグループメンバーは通常、聞くだけモードの状態に在る（す
なわち、別のメンバーが話している時には送信ができない）ため、専用の逆方向リンクは割り当てられない。例えば、ＴＤＭＡシステムでは、タイムスロットが異なるユーザに割り当てられる。割り当てられた逆方向リンクで送信を行なっているトークグループメンバーは、フルパワー送信を使用して割り当てられたタイムスロットの短い信号バーストをサポート（ｓｕｐｐｏｒｔ）できるようになる。この手法は不連続または離散的なものであるにも関わらず、聞き手はあたかも連続サービスであるかのように受信する。
【発明の開示】
【発明が解決しようとする課題】
【０００６】
過去十年間、モバイル携帯通信及びパーソナル携帯通信が世界中でかつてない程強く求められるようになった。スペクトラム拡散デジタル技術（そのうちの一種がＣＤＭＡとして知られる）が、所定の無線スペクトラム割当てにおいて、極めて高い帯域効率を実現し、このため、多くの複数回アクセスユーザにサービスを提供するためにはアナログ技術または他のデジタル技術よりもずっと優れた選択肢となり得ることが証明された。ＣＤＭＡは、広範な周波数スペクトラムに亘って、埋め込まれている符号化された信号を抽出するために処理能力を使用する。多くの他の重畳された不所望の信号の中から所望の信号を抽出する唯一の方法は、正しい符号を有することである。符号化を使用することにより、搬送波を重ねることによってより多くのチャネルを導出できると共に、帯域幅の１ヘルツ当たりの導出チャネル数を大きく増大させることができる。
【０００７】
ＣＤＭＡは移動体通信に適しているが、従来のディスパッチシステムには全く採用されていない。従来のディスパッチシステムとは異なり、ＣＤＭＡシステムでは、セル（サイト）境界でのソフトハンドオフが必要となる。ソフトハンドオフの間、通信ユニットすなわち移動局（ＭＳ）は、ソフトハンドオフを終えるまでに複数のセルから同時にコール送信を受ける。従来のディスパッチシステムにＣＤＭＡを使用するには、ディスパッチコールに参加している複数の移動局がソフトハンドオフできるようにするという問題に対する解決策が必要となる。このため、ＣＤＭＡ−ディスパッチソフトハンドオフのための方法及び装置が必要となる。
【課題を解決するための手段】
【０００８】
ＣＤＭＡディスパッチソフトハンドオフのための装置及び方法に対するニーズに応えるために、本発明は基地サイトにおいてコール中の全ての移動局（ＭＳ）の間でソフトハンドオフ情報を共有することによってディスパッチコール中のＭＳにソフトハンドオフを提供する。第１ＭＳがソフトハンドオフする必要があるとき、隣接基地サイトにおけるソフトハンドオフチャネルの識別情報を全てのＭＳの間で共有する。このようにして、その隣接基地サイトとソフトハンドオフする必要のある後続のＭＳはソフトハンドオフを要求することなくソフトハンドオフを実行し得る。
【発明を実施するための最良の形態】
【０００９】
本発明は図１〜４を参照することにより一層深く理解され、これらの図においては同一の符号は同様の構成要素を指す。図１は本発明の好適な実施形態による通信システム１００のブロック図である。無線通信システム１００は適切に変更を加えたＣＤＭＡシステムであり、この場合この変更ＣＤＭＡシステムには、例えば米国電子工業会／米国電気通信工業会の暫定標準９５（Ｔｅｌｅｃｏｍｍｕｎｉｃａｔｉｏｎｓ  Ｉｎｄｕｓｔｒｙ  Ａｓｓｏｃｉａｔｉｏｎ／Ｅｌｅｃｔｒｏｎｉｃ  Ｉｎｄｕｓｔｒｉｅｓ  Ａｓｓｏｃｉａｔｉｏｎ  Ｉｎｔｅｒｉｍ  Ｓｔａｎｄａｒｄ  ９５：ＥＩＡ／ＴＩＡ  ＩＳ−９５）に準拠した当業界で公知の広帯域スペクトラム拡散デジタルセルラーシステムが挙げられる。システム１００は複数の通信ユニット１２０〜１２３を備え、これらのユニットはそれぞれ同じトークグループのメンバーである。好適な実施形態においては、通信ユニット１２０〜１２３の各々は物理的には双方向通信が可能であるが、通常のグループ通信中には
一度に１つの通信ユニットしか送信状態にならない。
【００１０】
固定インフラストラクチャは、通常無線システム１００内での通信をサポートすることが要求される構成要素を備え、好適な実施形態においては、通常のＣＤＭＡアーキテクチャに準拠している。特に、無線ＣＤＭＡ通信インフラストラクチャは基地サイト１１１及び１１２、さらにこれらのそれぞれのカバレージエリア１０２及び１０３のような公知の構成要素を備える。実際には、基地サイト１１１及び１１２は通常、図示しない１つ以上の基地サイト制御装置、１つのスイッチ、及び付加的な公知のインフラストラクチャ機器と通信する。本発明を簡易かつ簡潔に示すために、通信インフラストラクチャは図１に示すものに限定されている。
【００１１】
図２は本発明の好適な実施形態による基地サイト１１１及び１１２、及び移動局（ＭＳ）１２０のブロック図である。（広く用いられ、技術分野用語である本明細書を通じて「移動局」は、「通信ユニット」と同義で使用される）。基地サイト１１１は送信機１４１、受信機１４２、及び制御装置１４０を備える。一般に基地サイト、より詳細には基地サイト送信機、基地サイト受信機、及び基地サイト制御装置は当業界で公知である。制御装置１４０は好適にはマイクロプロセッサ及びコンピュータメモリのような１つ以上のメモリ装置及び処理装置を備える。好適な実施形態においては、基地サイト１１１のメモリ装置に記憶されるソフトウェア／ファームウェアアルゴリズムによる制御の下に、基地サイト１１１は公知の基地サイト動作、及びさらに図３に関連して記載される方法に必要とされるタスクを実行する。
【００１２】
通信ユニット１２０〜１２３の各々は共通する要素の組を備える。より詳細には、１つ以上の処理装置（例えばマイクロプロセッサ、デジタル信号プロセッサなど）及びメモリ装置を通常備えるプロセッサ１５０が、送信機１５１及び受信機１５２に結合される。これらの要素の各々は当業界で公知である。好適な実施形態において、ＭＳ１２０のメモリ装置に記憶されるソフトウェア／ファームウェアアルゴリズムによる制御の下に、ＭＳ１２０は公知のＭＳ動作、及びさらに図４に関連して記載される方法に必要とされるタスクを実行する。
【００１３】
ＣＤＭＡ通信チャネル１３４〜１３７は公知の技術を用いた符号を使用することによって、例えば直交Ｗａｌｓｈ符号及び疑似乱数ノイズ（ＰＮ）シーケンスの組み合わせによって効率的に設けられる。好適な実施形態においては、チャネル１３４，１３５は、それぞれ基地サイト１１１，１１２が送信するフルレートアウトバウンドトラフィックチャネルを含む。好適には、チャネル１３６はインバウンドアクセスチャネルであり、このチャネルを介してシステム内の全ての移動局（ＭＳ）が基地サイト１１１に信号を送る。最後に、チャネル１３７は１つの個別のＭＳが順方向電力制御情報、ソフトハンドオフ情報、及び／又は逆方向電力情報を送受信するために使用される低速のインバウンドリンクである。このリンクの使用については、「ＣＤＭＡディスパッチシステムにおける迅速なコール設定」と題する米国特許第５，９１４，９５８号、および「ＣＤＭＡディスパッチシステムにおける複数の低速のインバウンドシグナリングリンクの確立」と題する米国特許第６，１１５，３８８号に詳細に記載されており、これら両方の文献がここに参照により本開示に援用される。
【００１４】
好適な通信システム１００の動作はほぼ以下の通りである。ディスパッチコールが始まると、フルレートＣＤＭＡアウトバウンドトラフィックチャネル１３４が基地サイト１１１により確立され、このチャネルを使用してＭＳ１２０〜１２３へのディスパッチコール送信を開始する。好適には、ＭＳ１２０は、チャネル１３４を介してコールの受信を開始した後、アクセスチャネル１３６を介して要求を基地サイト１１１に送信して、基地サイト１１１との低速インバウンドリンクを確立する。インバウンドリンク１３７はこのよう
にして確立される。ＭＳ１２０と同様に、ＭＳ１２１〜１２３も基地サイト１１１との間にそれらに固有の低速インバウンドリンクを確立する。これらの低速インバウンドリンクは、全て上で参照した米国特許第５，９１４，９５８号の記載内容または米国特許第６，１１５，３８８号の記載内容に従って確立される。
【００１５】
ディスパッチコール中の或る時点で、基地サイト１１１は、ＭＳ１２０が基地サイト１１２とのソフトハンドオフを開始すべきであると判断する。この判断は、システム１００が、移動体開始のソフトハンドオフ、基地サイト開始のソフトハンドオフのいずれを使用するかどうかによって、少なくとも２つの形態を採る。移動体開始のソフトハンドオフの場合、ＭＳ１２０はインバウンドリンク１３７を使用して基地サイト１１２にソフトハンドオフを要求する。基地サイト開始のソフトハンドオフの場合、基地サイト１１１及び１１２はＭＳ１２０からの信号（ｓｉｇｎａｌｉｎｇ）に基づいてＭＳ１２０が基地サイト１１２とのソフトハンドオフを開始すべきであると判断する。本出願と同一日付けで出願され、「移動体開始のＣＤＭＡディスパッチソフトハンドオフのための方法及び装置」及び「基地サイト開始のＣＤＭＡディスパッチソフトハンドオフのための方法及び装置」と題する関連出願にこれらの動作がより詳細に記載されている。
【００１６】
このソフトハンドオフをサポートするために、基地サイト１１２はフルレートＣＤＭＡアウトバウンドトラフィックチャネル１３５を確立し、進行中のディスパッチコールの送信を開始する。ＭＳ１２０にチャネル１３５がソフトハンドオフに利用可能であることを通知するために、基地サイト１１１はチャネル１３４を介した帯域内シグナリングを使用してチャネル１３５及び基地サイト１１２の識別情報を知らせる。加えて、基地サイト１１１は、ＭＳ１２０に信号を送る（ａｄｄｒｅｓｓ  ｔｈｅ  ｓｉｇｎａｌｉｎｇｓ）手段としてＭＳ１２０の識別情報を知らせてもよい。
【００１７】
ソフトハンドオフを必要としているのがＭＳ１２０であると判断されたが、ＭＳ１２１及びＭＳ１２２など、ディスパッチコールに参加している他のＭＳもこれら自体がハンドオフしようとしている（ｃｌｏｓｅ  ｔｏ  ｈａｎｄｌｉｎｇ  ｏｆｆ）ことがあり得る。さらに、これはディスパッチコールであるため、このコールには、ソフトハンドオフがいずれ必要となる、さらに多くのＭＳが関与していることが考えられる。例えば、基地サイト１１２に向かって走行中の列車に多くの発信者が乗車しており、実質的に同じ時間にソフトハンドオフを要求することが考えられる。この発信者が全て同じ期間にソフトハンドオフを要求しようとすると、システム１００は過負荷状態になって、呼が接続されない可能性がある。また、システムリソースが限られているため、ＭＳの全てが、基地サイト１１１との低速インバウンドリンクを取得できるわけではない可能性がある。この種のリンクが無ければ、これらのユニットはソフトハンドオフを要求することが全くできない。
【００１８】
上記の問題に対応し、かつソフトハンドオフ効率を一般的に向上させるため、本発明は基地サイト１１１がＭＳ１２０〜１２３（すなわち、チャネル１３４を介してディスパッチコールを受信する全てのＭＳ）に信号を送信し、ソフトハンドオフを行なうための基地サイト１１２におけるチャネル１３５の識別情報及び利用可能性についての情報をＭＳ１２０に送信する。このようにして、ＭＳ１２０〜１２３は全て、基地サイト１１２におけるチャネル１３５がソフトハンドオフに使用できることを示す指標（ｉｎｄｉｃａｔｉｏｎ）を受信する。次にＭＳ１２０に加えて、他のＭＳが必要に応じて、チャネル１３４及び１３５を介して同時にディスパッチコールを受信することによりソフトハンドオフを開始し得る。このように、ディスパッチコール中のＭＳの内の幾つかは、基地サイト１１１に信号を送信する必要なしに、または基地サイト１１１との間にインバウンドリンクが確立されている必要なしに、ソフトハンドオフを開始することができる。実際には、基地サイト１１２とのソフトハンドオフを開始するこれらのＭＳは次に、そのＭＳが基地サイト１１１とのインバウンドリンクを取得できたかどうかに関わらず、基地サイト１１２との
インバウンドリンクを要求し得る。
【００１９】
別の実施形態においては、基地サイト１１１は、基地サイト１１２におけるチャネル１３５の識別情報及び利用可能性に関する情報をチャネル１３４で帯域内信号方式を介して伝達する代わりに、呼び出しチャネルを使用して情報を伝達してもよい。より詳細には、基地サイト１１１は、ＭＳ１２０に個別呼び出しを送信するか、または基地サイト１１２でのチャネル１３５の識別情報及び利用可能性を知らせる一斉呼び出しを送信し得る。その一斉呼び出しはディスパッチコールに含まれるトークグループに対して呼び出しを行なうためのトークグループＩＤも含み得る。従って、同時に呼び出しチャネルを走査するディスパッチコール中の全てのＭＳは、ソフトハンドオフ情報を受信することができる。
【００２０】
図３は本発明の好適な実施形態に従って基地サイトが実行するステップの論理フロー図である。論理フロー３００は、ディスパッチコールが基地サイトにより設定されているときに開始する（３０２）。基地サイトは、フルレートアウトバウンドトラフィックチャネルを確立し（３０４）、これによりディスパッチコールを基地サイトのカバレージエリア内の多くのＭＳに送信する（３０６）ことが好ましい。また、基地サイトは、リンクを要求する各ＭＳとの間のディスパッチコールのために、チャネルリソースが許容できる低速インバウンドリンクを確立する（３０８）。ＭＳの内の１つがソフトハンドオフを開始すべきであると基地サイトが判断すると（３１０）、基地サイトはソフトハンドオフに使用可能な隣接基地サイトにおけるトラフィックチャネルの識別情報を、グループコール中のＭＳの全てに伝達する。このようにして、ＭＳの内の１つがその隣接基地サイトとのソフトハンドオフを行なう必要があると判断された後に、ＭＳは必要に応じて、その特定の隣接基地サイトとのソフトハンドオフを行なうことができる。
【００２１】
図４は本発明の好適な実施形態に従って移動局が実行するステップの論理フロー図である。論理フロー４００が開始し（４０２）、ＭＳが基地サイトからアウトバウンドトラフィックチャネルを介してディスパッチコールを受信し始める（４０４）。ＭＳは、ソフトハンドオフが必要であることを基地サイトに知らせることなく、ディスパッチコールを受信可能なアウトバウンドリンクの識別情報を示す指標を隣接基地サイトから受信する（４０６）。ＭＳが隣接基地サイトとのソフトハンドオフを行なう必要があるとき、ＭＳは両方のアウトバウンドリンクを介してディスパッチコールを同時に受信することによって、ソフトハンドオフを開始する（４０８）。このようにして論理フローが終了する（４１０）。
【００２２】
本発明をその特定の実施形態を参照しながら特定の形で示し、記載してきたが、当業界の当業者であれば本発明の技術思想及び技術範囲から逸脱しない範囲において実施形態の形式及び詳細に種々の変更を加え得ることは明らかであろう。
【図面の簡単な説明】
【００２３】
【図１】本発明の好適な実施形態による通信システムのブロック図である。
【図２】本発明の好適な実施形態による図１の通信システムの基地サイト及び移動局（ＭＳ）を示すブロック図である。
【図３】本発明の好適な実施形態に従って基地サイトが実行するステップの論理フロー図である。
【図４】本発明の好適な実施形態に従って移動局が実行するステップの論理フロー図である。
【図１】
2005514823.tif 000003
【図２】
2005514823.tif 000004
【図３】
2005514823.tif 000005
【図４】
2005514823.tif 000006
【国際調査報告】
2005514823.tif 000007
2005514823.tif 000008